(57)【要約】【課題】発光ダイオードの使用量を節減して、発光ダイオード間に対応する接着シートＳの部分に対する光照射不足を生ずることのない光照射手段及び光照射方法を提供すること。【解決手段】接着シートＳが貼付された半導体ウエハＷを支持する支持手段１１と、接着シートＳに相対するとともに、直線Ｌ上に所定間隔Ｐを隔てて設けられた複数の発光ダイオード１２を有する発光手段１４と、直線Ｌを横切る第１の方向Ｄ１に支持手段１１と発光手段１４とを相対移動させる移動手段１５と、支持手段１１と発光手段１４とを相対変位させる変位手段１６とを含む。変位手段１６は、直線Ｌに直交する方向を横切る第２の方向Ｄ２に支持手段１１と発光手段１４とを相対変位させて接着シートＳに光照射を行う。【選択図】図１
2010221107.tif 000002
【特許請求の範囲】
【請求項１】
被照射体に相対配置されるとともに、直線上に所定間隔を隔てて設けられた複数の発光源を有する発光手段と、前記直線を横切る第１の方向に前記被照射体と発光手段とを相対移動させる移動手段とを含む光照射装置において、
変位手段を更に含み、当該変位手段は、前記直線に直交する方向を横切る第２の方向に前記被照射体と発光手段とを相対変位させることを特徴とする光照射装置。
【請求項２】
前記被照射体と発光手段とは、前記第１の方向に沿って往復移動可能に設けられ、往移動の完了後に前記第２の方向に相対変位した状態で復移動することを特徴とする請求項１記載の光照射装置。
【請求項３】
前記被照射体と発光手段とは、前記第１の方向に沿って往復移動可能に設けられ、当該往復動作の最中に前記第２の方向に相対変位することを特徴とする請求項１記載の光照射装置。
【請求項４】
前記被照射体と発光手段とは、前記発光源間の間隔を等分した距離を前記変位量とし、当該等分回数に応じて往復移動を繰り返すように設定されていることを特徴とする請求項２又は３記載の光照射装置。
【請求項５】
被照射体に相対配置されるとともに、直線上に所定間隔を隔てて設けられた複数の発光源を有する発光手段を設け、前記直線を横切る第１の方向に前記被照射体と発光手段とを相対移動させることで前記被照射体に光照射を行う光照射方法であって、
前記直線に直交する方向を横切る第２の方向に前記被照射体と発光手段とを相対変位させる動作を含んで光照射を行うことを特徴とする光照射方法。
【発明の詳細な説明】
【技術分野】
【０００１】
本発明は光照射装置及び光照射方法に係り、特に、半導体ウエハ等に貼付された光反応型の接着剤層を有する接着シートに光を照射することのできる光照射装置及び光照射方法に関する。
【背景技術】
【０００２】
半導体ウエハ（以下、単に、「ウエハ」と称する）の処理装置においては、ウエハの回路面に保護用の接着シートを貼付して裏面研削を行ったり、ダイシングテープを貼付して複数のチップに個片化したりする処理が行われる。このような処理に使用される接着シートには、接着剤に紫外線硬化型（光反応型）のものが採用されており、上記のような処理の後、紫外線照射装置（光照射装置）により紫外線（光）を接着シートに照射することで、当該接着シートの接着剤を硬化させて接着力を弱め、ウエハの破損を防止して容易に剥離できるようになっている。
【０００３】
前記紫外線照射装置としては、例えば、特許文献１に開示されている。同文献における紫外線照射装置は、複数の紫外線発光ダイオードを直線上に並設して構成される発光手段と、接着シートが貼付されたウエハとを平面内で相対移動させることによって接着シートの接着剤層に紫外線を照射する構成となっている。
【先行技術文献】
【特許文献】
【０００４】
【特許文献１】特開２００７−３２９３００号公報
【発明の概要】
【発明が解決しようとする課題】
【０００５】
しかしながら、特許文献１に開示された紫外線照射装置は、接着シートが貼付されたウエハが、複数の紫外線発光ダイオードが並設された直線を横切るように相対移動する構成であるため、発光ダイオード間に対応する接着シート部分への光照射が相対的に不足し、接着シートに接着剤の未硬化部分が残されてしまい、当該接着シートの剥離不良が発生する、という不都合がある。
この場合、発光ダイオード間の間隔を狭めることで光照射不足に伴う接着剤の未硬化を解消し得るが、かかる構成とした場合には、発光手段に用いる発光ダイオードの使用量が増大してコスト高になる、という不都合を招来する。
【０００６】
［発明の目的］
本発明は、このような不都合に着目して案出されたものであり、その目的は、発光源の使用量を節減して、発光源間に対応する被照射体の部分に対する光照射不足を解消可能な光照射手段及び光照射方法を提供することにある。
【課題を解決するための手段】
【０００７】
前記目的を達成するため、本発明は、被照射体に相対配置されるとともに、直線上に所定間隔を隔てて設けられた複数の発光源を有する発光手段と、前記直線を横切る第１の方向に前記被照射体と発光手段とを相対移動させる移動手段とを含む光照射装置において、
変位手段を更に含み、当該変位手段は、前記直線に直交する方向を横切る第２の方向に前記被照射体と発光手段とを相対変位させる、という構成を採っている。
【０００８】
本発明において、前記被照射体と発光手段とは、前記第１の方向に沿って往復移動可能に設けられ、往移動の完了後に前記第２の方向に相対変位した状態で復移動する、という構成を採ることできる。
【０００９】
また、前記被照射体と発光手段とは、前記第１の方向に沿って往復移動可能に設けられ、当該往復動作の最中に前記第２の方向に相対変位するように設けることもできる。
【００１０】
更に、前記被照射体と発光手段とは、前記発光源間の間隔を等分した距離を前記変位量とし、当該等分回数に応じて往復移動を繰り返すように設定される、という構成を採ることができる。
【００１１】
また、本発明は、被照射体に相対配置されるとともに、直線上に所定間隔を隔てて設けられた複数の発光源を有する発光手段を設け、前記直線を横切る第１の方向に前記被照射体と発光手段とを相対移動させることで前記被照射体に光照射を行う光照射方法であって、
前記直線に直交する方向を横切る第２の方向に前記被照射体と発光手段とを相対変位させる動作を含んで光照射を行う、という手法を採っている。
【発明の効果】
【００１２】
本発明によれば、発光源を直線上に設け、この直線を被照射体が横切るように相対移動した後、又は相対移動する際に、この相対移動する方向を横切る方向に被照射体と支持手段とを相対変位させる構成としているため、発光源間に対応する被照射体の部分への光照射不足を回避することができる。従って、発光源の使用量を節減して発光手段を構成することができる。
また、発光源間の間隔を等分した距離を発光手段と被照射体との変位量とし、この等分回数に応じて往復移動を繰り返すように設定した場合には、発光源間に対応する被照射体の部分への光照射不足を回避した上で、光量分布のばらつきも少なくすることができる。
【図面の簡単な説明】
【００１３】
【図１】実施形態に係る光照射装置の概略正面図。
【図２】図１の左側面図。
【図３】被照射体が往移動する状態を示す概略平面図。
【図４】被照射体が相対変位して復移動する状態を示す概略平面図。
【図５】（Ａ）〜（Ｃ）は、発光手段と被照射体とが相対変位する際の軌跡を示す説明図。
【図６】（Ａ）、（Ｂ）は、発光手段と被照射体とが相対変位する動作の説明図。
【発明を実施するための形態】
【００１４】
以下、本実施形態について、図面を参照しながら説明する。
【００１５】
図１ないし図４において、光照射装置１０は、被照射体としての接着シートＳが貼付されたウエハＷを支持する支持手段１１と、接着シートＳに相対配置されるとともに、直線Ｌ（図３参照）上に所定間隔Ｐを隔てて設けられた複数の発光源としての複数の発光ダイオード１２を有する発光手段１４と、直線Ｌを横切る第１の方向Ｄ１に支持手段１１と発光手段１４とを相対移動させる移動手段１５と、直線Ｌに直交する方向を横切る第２の方向Ｄ２に支持手段１１と発光手段１４とを相対変位させる変位手段１６とを備えて構成されている。なお、接着シートＳは、基材シートの一方の面に紫外線硬化型の接着剤層が積層され、当該接着剤層によってウエハＷに貼付されている。また、発光ダイオード１２は、紫外線を発光可能なものとする。
【００１６】
前記支持手段１１は、ウエハＷを支持する上部テーブル１１Ａと、変位手段１６を介して上部テーブル１１Ａの下方に設けられた下部テーブル１１Ｂとを含んで構成されている。上部テーブル１１Ａは、図示しない複数の吸引孔を介して吸引を行うことで、その上面に載置されたウエハＷを支持するようになっている。
【００１７】
前記発光手段１４は、発光ダイオード１２と、当該発光ダイオード１２を支持する基板２０とを含む。発光ダイオード１２は、相互に等しい間隔Ｐを隔てて複数配置されることでその使用量が節減されている。ここで、図２に示されるように、各発光ダイオード１２から発光された照射光は、所定の指向角度で発せられるため、ダイオード１２を節減した代償として、発光ダイオード１２間に対応する接着シートＳ部分への光照射が相対的に不足している。つまり、発光ダイオード１２は、接着シートＳに照度が不足する領域が発生するまで、それらの間隔が広げられて配置されている。なお、発光手段１４は、図示しない保持部材を介して所定の高さ位置に保持される。また、発光ダイオード１２は、図示しない制御手段を介して個別的若しくは所定数の単位で点灯のＯＮ−ＯＦＦ制御が可能とされている。
【００１８】
前記移動手段１５は、第１の方向Ｄ１に沿って延設された単軸ロボット２２と、当該単軸ロボット２２と平行に延設されたガイド部材２３とにより構成されている。単軸ロボット２２は、ベースＢに固定された本体２２Ａと下部テーブル１１に固定されたスライダ２２Ｂとにより構成され、ガイド部材２３は、ベースＢに固定されたガイドレール２３Ａと、下部テーブル１１Ｂに固定されたスライダ２３Ｂとにより構成されている。これにより支持手段１１は、接着シートＳが貼付されたウエハＷを載置して第１の方向Ｄ１に相対移動可能となっている。
【００１９】
前記変位手段１６は、図１に示されるように、上部、下部テーブル１１Ａ、１１Ｂの間に配置された直動モータ３０と、当該直動モータ３０の両側にそれぞれ配置されたガイド部材３１とからなる。直動モータ３０は、下部テーブル１１Ｂに固定された本体部３０Ａと上部テーブル１１Ａに固定されたスライダ３０Ｂとにより構成され、ガイド部材３１は、下部テーブル１１Ｂにそれぞれ固定されたガイドレール３１Ａと、上部テーブル１１Ａにそれぞれ固定されたスライダ３１Ｂとにより構成されている。これにより、上部テーブル１１Ａに載置されたウエハＷを第２の方向Ｄ２に相対変位可能となっている。
【００２０】
次に、本実施形態に係る紫外線照射方法について、図３ないし図６をも参照しながら説明する。
【００２１】
接着シートＳが貼付されたウエハＷが図示しない搬送アームを介して上部テーブル１１Ａの上面に移載されると、図示しない吸引孔を介して当該ウエハＷを吸着保持するとともに、発光ダイオード１２が照射を開始する。その後、支持手段１１は、移動手段１５を介して直線Ｌを横切る第１の方向Ｄ１に往復動作する。支持手段１１が往移動するとき、すなわち、図３中実線で示される位置から二点鎖線で示される位置に移動するときにおいて、前述のようにダイオード１２を節減したため、発光ダイオード１２間に対応する接着シートＳ部分への光照射が相対的に不足した状態となっている。なお、発光ダイオード１２は、接着シートＳに照度が不足する領域が発生するまで、それらの間隔が広げられて配置されているとともに、発光ダイオード１２によって接着シートＳに照射される光の有効照射領域（照射径）は、発光ダイオード１２の間隔Ｐの半分よりも広くなるように設定されていることとする。また、相対移動する段階に応じて、接着シートＳに光照射しない発光ダイオード１２は消灯されるように制御される。
【００２２】
往移動によって接着シートＳが直線Ｌを通り過ぎると、変位手段１６を構成する直動モータ３０が駆動し、下部テーブル１１Ｂに対して上部テーブル１１Ａが所定量変位する。これにより、上部テーブル１１Ａ上のウエハＷに貼付された接着シートＳが、直線Ｌに直交する方向を横切る第２の方向Ｄ２に相対変位する。本実施形態における変位量ｄは、図５（Ａ）に示されるように、発光ダイオード１２の間隔Ｐを２等分した距離とされ、この変位が行われた後に、支持手段１１が復移動を開始する。この復移動時に発光ダイオード１２間に対応する接着シートＳ部分へ光照射が行われ、接着シートＳの全域に紫外線が照射されることで、接着シートに接着剤の未硬化部分が残されてしまうといった不都合を解消することができる。
【００２３】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２４】
例えば、前記実施形態では、支持手段１１が往移動した後に、変位量ｄだけ支持手段１１を変位させて復移動させる場合を示したが、本発明はこれに限定されるものではない。すなわち、移動手段１５の駆動と変位手段１６の駆動とを同期させて、往復動作の最中に上部テーブル１１Ａが第２の方向Ｄ２に相対変位するように構成してもよい。この場合、図５（Ｂ）、（Ｃ）に示されるように、上部テーブル１１Ａの往移動軌跡と復移動軌跡とが第１の方向Ｄ１を基準とした線対称軌跡となるジグザグ方向に相対変位させる往復移動としてもよい。更に、前記実施形態では、発光ダイオード１２の間隔Ｐを２等分した距離を変位量ｄとしたため、往移動と復移動とを１回ずつ行うように設定したが、間隔Ｐを３等分した距離を変位量ｄとした場合には、往移動と復移動とを合計で３回行えばよく、つまり、往移動と復移動とを１回ずつ行った後に更に往移動を１回行えばよく、発光ダイオード１２の間隔Ｐを等分した距離を変位量ｄとした場合、この等分回数に応じて往復移動を繰り返すように設定すればよい。
【００２５】
また、前記実施形態では、発光手段１４を固定して支持手段１１を第１の方向Ｄ１に相対移動させる構成としたが、発光手段１４と支持手段１１との少なくとも一方を第１の方向Ｄ１に移動させる構成としてよい。更に、前記実施形態では、発光手段１４を固定して支持手段１１を第２の方向Ｄ２に相対変位させる構成としたが、発光手段１４と支持手段１１との少なくとも一方を第２の方向Ｄ２に変位させる構成としてよい。
【００２６】
また、紫外線を照射することによって接着シートＳの接着剤を硬化させる場合を説明したが、ウエハＷに仮着された感熱接着性の接着シートをウエハに強固に貼付するシート貼付装置等に適用することもできる。この場合、発光源が発光する光としては、赤外線等が例示できる。
【００２７】
更に、図６に示されるように、直線Ｌに対する第１の方向Ｄ１が横切る角度に限定はなく、直線Ｌと第１の方向Ｄ１とが平行でなければよい。また、直線Ｌに直交する方向に対する第２の方向Ｄ２が横切る角度に限定はなく、直線Ｌに直交する方向と第２の方向Ｄ２とが平行でなければよい。更に第１の方向Ｄ１と第２の方向Ｄ２とは、平行でなければどのような方向関係であってもよい。
【００２８】
また、接着シートＳが貼付される被着体はウエハＷに限定されることなく、ガラス板、鋼板、または、樹脂板等、その他のものも対象とすることができ、半導体ウエハは、シリコンウエハや化合物ウエハであってもよい。
【符号の説明】
【００２９】
１０  光照射装置
１２  発光ダイオード（発光源）
１４  発光手段
１５  移動手段
１６  変位手段
Ｄ１  第１の方向
Ｄ２  第２の方向
Ｌ  直線
Ｓ  接着シート（被照射体）
Ｐ  間隔
【図１】
2010221107.tif 000003
【図２】
2010221107.tif 000004
【図３】
2010221107.tif 000005
【図４】
2010221107.tif 000006
【図５】
2010221107.tif 000007
【図６】
2010221107.tif 000008